(57)【要約】【課題】プラズマディスプレイ装置の走査電極駆動回路を安定して動作させるとともに、制御信号の伝送異常が発生した状態で通電しても走査電極駆動回路の破損等を防ぐ。【解決手段】走査電極と維持電極とデータ電極とを有する放電セルを複数備えたパネルと、走査電極に印加する走査パルスを発生する複数の走査ＩＣ（ＩＣ（１）〜ＩＣ（１２））を有する走査電極駆動回路と、複数の走査ＩＣから１つの走査ＩＣを選択する選択信号を発生するとともに走査ＩＣを制御する制御信号を発生する制御信号発生回路と、選択信号および複数の制御信号が走査ＩＣのそれぞれに正しく伝送されているか否かを監視する制御信号監視回路３６とを備え、信号監視回路３６は積分回路を有し、選択信号および制御信号の少なくとも１つまたはそれらの論理演算した信号を積分する。【選択図】図１１
2010175668.tif 000002
【特許請求の範囲】
【請求項１】
走査電極と維持電極とデータ電極とを有する放電セルを複数備えたプラズマディスプレイパネルと、
前記走査電極に印加する走査パルスを発生する複数の走査ＩＣを有する走査電極駆動回路と、
前記複数の走査ＩＣから１つの走査ＩＣを選択する選択信号を発生するとともに前記走査ＩＣを制御する複数の制御信号を発生する制御信号発生回路と、
前記選択信号および前記制御信号が前記走査ＩＣのそれぞれに正しく伝送されているか否かを監視する制御信号監視回路とを備え、
前記制御信号監視回路は積分回路を有し、前記選択信号および前記制御信号の少なくとも１つまたはそれらの論理演算した信号を積分することを特徴とするプラズマディスプレイ装置。
【請求項２】
前記制御信号監視回路が前記選択信号または前記制御信号の伝送異常を検出すると画像表示動作を停止することを特徴とする請求項１に記載のプラズマディスプレイ装置。
【請求項３】
前記複数の走査ＩＣは複数の回路基板に分割して実装され、
前記制御信号監視回路は前記複数の回路基板のそれぞれに分割して設けられていることを特徴とする請求項１または請求項２に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。ガラス製の前面基板上には、１対の走査電極と維持電極とからなる表示電極対が互いに平行に複数対形成され、それら表示電極対を覆うように誘電体層および保護層が形成されている。背面基板上には、複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。
【０００３】
そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。このような構成のパネルにおいて、各放電セル内でガス放電により紫外線を発生させ、この紫外線で赤色、緑色および青色の各色の蛍光体を励起発光させてカラー表示を行っている。
【０００４】
パネルを駆動する方法としてはサブフィールド法、すなわち、１フィールド期間を複数のサブフィールドに分割した上で、発光させるサブフィールドの組み合わせによって階調表示を行う方法が一般的である。
【０００５】
各サブフィールドは、初期化期間、書込み期間および維持期間を有し、初期化期間では初期化放電を発生し、続く書込み動作に必要な壁電荷を各電極上に形成する。書込み期間では、走査電極に走査パルスを順次印加するとともに表示を行うべき放電セルのデータ電極に書込みパルスを印加して選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００６】
走査パルスを発生させる回路は、走査パルスの高圧側の電圧を出力するスイッチング素子と低圧側の電圧を出力するスイッチング素子とを用いて構成され、さらにそれらのスイッチング素子を多数集積してＩＣ化されている。このＩＣを走査ＩＣと呼称する。また走査パルスを発生させる回路は専用の回路基板に実装され、コネクタや回路基板等を介して制御信号が走査ＩＣに伝送される。
【０００７】
このようなプラズマディスプレイ装置では、コネクタの接続不良が発生しても、走査ＩＣに通電されることがあった。
【０００８】
このような場合であっても回路が発熱したり回路素子が劣化したりしないように、コネクタの接続不良を検出し、コネクタが外れている場合には走査電極駆動回路の動作を停止させる保護回路を備えた画像表示装置が開示されている（例えば、特許文献１参照）。
【特許文献１】特開２００４−３１７６０９号公報
【発明の開示】
【発明が解決しようとする課題】
【０００９】
しかしながら上述の画像表示装置は、コネクタの外れ以外の要因による異常、例えばごみによる端子間の短絡や断線等の制御信号の伝送異常には対応できなかった。
【００１０】
本発明は上記の課題に鑑みなされたものであり、走査電極駆動回路を安定して動作させるとともに、制御信号の伝送異常が発生した状態で通電しても走査電極駆動回路の破損等を防ぐことができるプラズマディスプレイ装置を提供することを目的とする。
【課題を解決するための手段】
【００１１】
上記目的を達成するために本発明のプラズマディスプレイ装置は、走査電極と維持電極とデータ電極とを有する放電セルを複数備えたパネルと、走査電極に印加する走査パルスを発生する複数の走査ＩＣを有する走査電極駆動回路と、複数の走査ＩＣから１つの走査ＩＣを選択する選択信号を発生するとともに走査ＩＣを制御する複数の制御信号を発生する制御信号発生回路と、選択信号および制御信号が走査ＩＣのそれぞれに正しく伝送されているか否かを監視する制御信号監視回路とを備え、制御信号監視回路は積分回路を有し、選択信号および制御信号の少なくとも１つまたはそれらの論理演算した信号を積分することを特徴とする。この構成により、走査電極駆動回路を安定して動作させるとともに、制御信号の伝送異常が発生した状態で通電しても走査電極駆動回路の破損等を防ぐことができるプラズマディスプレイ装置を提供することができる。
【００１２】
また本発明のプラズマディスプレイ装置は、制御信号監視回路が選択信号または制御信号の伝送異常を検出すると画像表示動作を停止する。
【００１３】
また本発明のプラズマディスプレイ装置の複数の走査ＩＣは複数の回路基板に分割して実装され、制御信号監視回路は複数の回路基板のそれぞれに分割して設けられている構成であってもよい。
【発明の効果】
【００１４】
本発明によれば、走査電極駆動回路を安定して動作させるとともに、制御信号の伝送異常が発生した状態で通電しても走査電極駆動回路の破損等を防ぐことができるプラズマディスプレイ装置を提供することができる。
【発明を実施するための最良の形態】
【００１５】
以下、本発明の実施の形態におけるプラズマディスプレイ装置について、図面を用いて説明する。
【００１６】
（実施の形態）
図１は、本発明の実施の形態に用いるパネル１０の分解斜視図である。ガラス製の前面基板１１上には、走査電極１２と維持電極１３とからなる表示電極対１４が複数形成されている。そして走査電極１２と維持電極１３とを覆うように誘電体層１５が形成され、誘電体層１５上に保護層１６が形成されている。背面基板２１上にはデータ電極２２が複数形成され、データ電極２２を覆うように誘電体層２３が形成され、その上に井桁状の隔壁２４が形成されている。そして、隔壁２４の側面および誘電体層２３上には赤色、緑色および青色の各色に発光する蛍光体層２５が設けられている。
【００１７】
これら前面基板１１と背面基板２１とは、微小な放電空間を挟んで表示電極対１４とデータ電極２２とが交差するように対向配置され、外周部をガラスフリット等の封着材によって封着されている。そして放電空間には、例えばネオンとキセノンの混合ガスが放電ガスとして封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１８】
なお、パネル１０の構造は上述したものに限られるわけではなく、例えばストライプ状の隔壁を備えたものであってもよい。
【００１９】
図２は、本発明の実施の形態に用いるパネル１０の電極配列図である。パネル１０には、行方向に長いｎ本の走査電極ＳＣ１〜ＳＣｎ（図１の走査電極１２）およびｎ本の維持電極ＳＵ１〜ＳＵｎ（図１の維持電極１３）が配列され、列方向に長いｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そしてこれらの放電セルは画像を表示する際の画素に対応する。本実施の形態においては、走査電極および維持電極がそれぞれ７６８本、すなわちｎ＝７６８であるものとして以下に説明するが、本発明はこの値に限定されるものではない。
【００２０】
次に、本実施の形態におけるプラズマディスプレイ装置のパネル１０の駆動方法について説明する。パネル１０はサブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。
【００２１】
図３は、本発明の実施の形態に用いるパネル１０の各電極に印加する駆動電圧波形を示す図であり、図３には２つのサブフィールドに対する駆動電圧波形を示している。
【００２２】
サブフィールドの初期化期間では、維持電極ＳＵ１〜ＳＵｎに電圧０（Ｖ）を印加し、走査電極ＳＣ１〜ＳＣｎに電圧Ｖｉ１から電圧Ｖｉ２に向かって緩やかに上昇するランプ電圧を印加する。その後、維持電極ＳＵ１〜ＳＵｎに電圧Ｖｅ１を印加するとともに、走査電極ＳＣ１〜ＳＣｎに電圧Ｖｉ３から電圧Ｖｉ４に向かって緩やかに下降するランプ電圧を印加する。すると各放電セルで微弱な初期化放電が発生し、続く書込み動作に必要な壁電荷を各電極上に形成する。なお、初期化期間の動作としては、図３の２つ目のサブフィールドの初期化期間に示したように、走査電極ＳＣ１〜ＳＣｎに対して緩やかに下降するランプ電圧を印加するだけでもよい。
【００２３】
続く書込み期間では、維持電極ＳＵ１〜ＳＵｎに電圧Ｖｅ２を印加し、走査電極ＳＣ１〜ＳＣｎに電圧Ｖｃを印加する。次に、最初に書込み動作を行う走査電極ＳＣｉに負の電圧Ｖａの走査パルスを印加するとともに、最初に書込み動作を行う行の発光すべき放電セルに対応するデータ電極Ｄｋに正の電圧Ｖｄの書込みパルスを印加する。すると走査パルスと書込みパルスとが同時に印加された放電セルでは書込み放電が発生し、走査電極ＳＣｉおよび維持電極ＳＵｉに壁電荷を蓄積する書込み動作が行われる。
【００２４】
次に、２番目に書込み動作を行う走査電極ＳＣｊに走査パルスを印加するとともに、２番目に書込み動作を行う行の発光すべき放電セルに対応するデータ電極Ｄｋに書込みパルスを印加する。すると走査パルスと書込みパルスとが同時に印加された放電セルでは書込み放電が発生し、書込み動作が行われる。以上の書込み動作をすべての行の放電セルに至るまで繰り返し、発光すべき放電セルに対して選択的に書込み放電を発生させ壁電荷を形成する。
【００２５】
書込み動作を行う順序については後述するが、本実施の形態においては、走査パルスを発生する走査ＩＣに対応してパネル１０の表示領域を複数の領域に分け、領域のそれぞれの放電セルの点灯率が大きい順に書込み動作を行っている。
【００２６】
続く維持期間では、維持電極ＳＵ１〜ＳＵｎに電圧０（Ｖ）を印加し、走査電極ＳＣ１〜ＳＣｎに電圧Ｖｓｕｓの維持パルスを印加する。すると、書込み放電を起こした放電セルでは維持放電が起こり発光する。次に、走査電極ＳＣ１〜ＳＣｎに電圧０（Ｖ）を印加するとともに、維持電極ＳＵ１〜ＳＵｎに電圧Ｖｓｕｓの維持パルスを印加する。すると維持放電を起こした放電セルでは再び維持放電が起こり発光する。
【００２７】
以下同様に、輝度重みに応じた数の維持パルスを走査電極ＳＣ１〜ＳＣｎおよび維持電極ＳＵ１〜ＳＵｎに交互に印加する。その後、走査電極ＳＣ１〜ＳＣｎに電圧Ｖｒに向かって上昇するランプ電圧を印加していわゆる壁電荷消去を行い、維持期間を終了する。
【００２８】
続くサブフィールドにおいても、上述したサブフィールドの動作と同様の動作を繰り返すことにより放電セルを発光させ、画像を表示している。
【００２９】
なお、本実施の形態において各電極に印加する電圧値は、例えば、電圧Ｖｉ１＝１４５（Ｖ）、電圧Ｖｉ２＝３５０（Ｖ）、電圧Ｖｉ３＝１９０（Ｖ）、電圧Ｖｉ４＝−１６０（Ｖ）、電圧Ｖａ＝−１８０（Ｖ）、電圧Ｖｓｕｓ＝１９０（Ｖ）、電圧Ｖｒ＝１９０（Ｖ）、電圧Ｖｅ１＝１２５（Ｖ）、電圧Ｖｅ２＝１２５（Ｖ）、電圧Ｖｄ＝６０（Ｖ）である。また電圧Ｖｃは負の電圧Ｖａ＝−１８０（Ｖ）に正の電圧Ｖｓｃｎ＝１４５（Ｖ）を重畳して作られる。したがって電圧Ｖｃ＝−３５（Ｖ）である。ただしこれらの電圧値は、単に一例を挙げたに過ぎず、パネル１０の特性やプラズマディスプレイ装置の仕様等に合わせて、適宜最適な値に設定することが望ましい。
【００３０】
図４は、本発明の実施の形態におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、制御信号発生回路３５、制御信号監視回路３６、各回路ブロックに必要な電源を供給する電源回路（図示せず）を備えている。
【００３１】
画像信号処理回路３１は、画像信号をパネル１０で表示できる画素数および階調数の画像信号に変換し、さらにサブフィールドのそれぞれにおける発光・非発光をデジタル信号のそれぞれのビットの「１」、「０」に対応させた画像データに変換する。データ電極駆動回路３２は、画像データを各データ電極Ｄ１〜Ｄｍに対応する書込みパルスに変換し、各データ電極Ｄ１〜Ｄｍに印加する。
【００３２】
制御信号発生回路３５は水平同期信号、垂直同期信号をもとにして、各回路ブロックの動作を制御する各種の制御信号を発生し、それぞれの回路ブロックへ供給する。制御信号発生回路３５は特に、後述する複数の走査ＩＣから１つの走査ＩＣを選択する選択信号ｓｅｌを発生するとともに走査ＩＣを制御する制御信号ｃ１、ｃ２等を発生する。制御信号発生回路３５はさらに、後述する制御信号監視回路３６から出力される監視信号ｓｏｓを入力し、制御信号監視回路３６が選択信号ｓｅｌまたは制御信号ｃ１、ｃ２の伝送異常を検出した場合には、画像表示動作を停止させる制御信号を各電極駆動回路に供給する。
【００３３】
走査電極駆動回路３３は、制御信号に基づき駆動電圧波形を作成し、走査電極ＳＣ１〜ＳＣｎのそれぞれに印加する。維持電極駆動回路３４は制御信号に基づき駆動電圧波形を作成し、維持電極ＳＵ１〜ＳＵｎのそれぞれに印加する。
【００３４】
制御信号監視回路３６は、詳細は後述するが、選択信号ｓｅｌおよび制御信号ｃ１、ｃ２が走査ＩＣのそれぞれに正しく伝送されているか否かを監視するために設けられ、監視信号ｓｏｓを制御信号発生回路３５へ出力する。
【００３５】
図５は、本発明の実施の形態におけるプラズマディスプレイ装置３０の走査電極駆動回路３３の構成を示す回路図である。走査電極駆動回路３３は、初期化電圧発生部４１と、走査電極側の維持パルス発生部４２と、走査パルス発生部４３とを備え、走査パルス発生部４３のそれぞれの出力はパネル１０の走査電極ＳＣ１〜ＳＣｎのそれぞれに接続されている。
【００３６】
走査パルス発生部４３は、走査パルス発生部４３の基準電位Ａを負の電圧Ｖａに接続するためのスイッチＳ４４と、基準電位Ａに電圧Ｖｓｃｎを重畳するための電源Ｅ４３と、ｎ本の走査電極ＳＣ１〜ＳＣｎのそれぞれに電源Ｅ４３の高圧側の電圧を出力するためのスイッチング素子ＱＨ１〜ＱＨｎ、および電源Ｅ４３の低圧側の電圧を出力するためのスイッチング素子ＱＬ１〜ＱＬｎを備えている。そしてスイッチング素子ＱＨ１〜ＱＨｎ、ＱＬ１〜ＱＬｎは複数の出力毎にまとめられ複数のＩＣに集積化されている。これらのＩＣが走査ＩＣであり、走査電極駆動回路３３は走査電極ＳＣ１〜ＳＣｎに印加する走査パルスを発生する複数の走査ＩＣを有する。
【００３７】
本実施の形態においては、６４出力分のスイッチング素子が１つのモノシリックＩＣとして集積されているものとして説明する。そして１２個の走査ＩＣ、（以下、「ＩＣ（１）、ＩＣ（２）、・・・、ＩＣ（１２）」と表記する）を用いて走査パルス発生部４３を構成し、ｎ＝７６８本の走査電極ＳＣ１〜ＳＣｎを駆動している。このように多数のスイッチング素子ＱＨ１〜ＱＨｎ、ＱＬ１〜ＱＬｎをＩＣ化することにより回路をコンパクトにまとめることができて実装面積も小さくなり、コストも下げることができる。
【００３８】
初期化電圧発生部４１は、初期化期間において走査パルス発生部４３の基準電位Ａをランプ状に上昇または降下させ、初期化期間における駆動電圧波形を発生させる。このとき走査パルス発生部４３のスイッチング素子ＱＨ１〜ＱＨｎをオフ、スイッチング素子ＱＬ１〜ＱＬｎをオンにすることにより、スイッチング素子ＱＬ１〜ＱＬｎを経由して各走査電極ＳＣ１〜ＳＣｎに初期化波形電圧が印加される。または、スイッチング素子ＱＨ１〜ＱＨｎをオン、スイッチング素子ＱＬ１〜ＱＬｎをオフにすることにより、電源Ｅ４３、スイッチング素子ＱＨ１〜ＱＨｎを経由して各走査電極ＳＣ１〜ＳＣｎに電源Ｅ４３の電圧Ｖｓｃｎを重畳された初期化波形電圧が印加される。
【００３９】
維持パルス発生部４２は、走査パルス発生部４３の入力の電位Ａを電圧Ｖｓｕｓまたは接地電位にすることで維持パルスを発生させる。このとき走査パルス発生部４３のスイッチング素子ＱＨ１〜ＱＨｎをオフ、スイッチング素子ＱＬ１〜ＱＬｎをオンにすることにより、スイッチング素子ＱＬ１〜ＱＬｎを経由して各走査電極ＳＣ１〜ＳＣｎに維持パルスが印加される。
【００４０】
図６は、本発明の実施の形態におけるプラズマディスプレイ装置３０の走査ＩＣの詳細を示す回路ブロック図である。走査電極ＳＣ１〜ＳＣ６４を駆動する１番目の走査ＩＣ、すなわちＩＣ（１）は、上述したように走査パルス電圧を出力するためのスイッチング素子ＱＨ１〜ＱＨ６４、ＱＬ１〜ＱＬ６４を備えているが、加えてこれらのスイッチング素子ＱＨ１〜ＱＨ６４、ＱＬ１〜ＱＬ６４を制御するためのスイッチング素子制御部５１と、走査ＩＣの書込み動作の順序を決めるための走査ＩＣ選択部５２とを備えている。
【００４１】
スイッチング素子制御部５１は、出力制御部ＲＧ１〜ＲＧ６４とシフトレジスタＳＲとを有する。シフトレジスタＳＲは、データ入力端子とクロック入力端子と６４個の出力端子をもつ通常のシフトレジスタであり、走査ＩＣ選択部５２から出力される信号ｓｇを、クロックｃｋを入力する毎に順次シフトして出力する。信号ｓｇはクロックｃｋの立上りを１つ含むパルス幅をもつ単一パルスであり、そのパルスを順次シフトすることにより、走査パルスのもととなる６４個の信号ｏ１〜ｏ６４を出力制御部ＲＧ１〜ＲＧ６４のそれぞれに出力する。
【００４２】
出力制御部ＲＧ１は、２つの制御信号ｃ１、ｃ２とシフトレジスタＳＲの出力信号ｏ１とを入力し、スイッチング素子ＱＨ１、ＱＬ１を制御する。出力制御部ＲＧ２は、２つの制御信号ｃ１、ｃ２とシフトレジスタＳＲの出力信号ｏ２とを入力し、スイッチング素子ＱＨ２、ＱＬ２を制御する。出力制御部ＲＧ３〜ＲＧ６４についても同様である。
【００４３】
図７は、本発明の実施の形態におけるプラズマディスプレイ装置３０の走査ＩＣの出力制御部ＲＧ１〜ＲＧ６４およびスイッチング素子ＱＨ１〜ＱＨ６４、ＱＬ１〜ＱＬ６４の動作を示す図であり、２つの制御信号ｃ１、ｃ２に応じてスイッチング素子ＱＨ１〜ＱＨ６４、ＱＬ１〜ＱＬ６４を以下のように制御する。制御信号ｃ１、ｃ２がともにローレベル（以下、「Ｌ」と略記）の場合には、スイッチング素子ＱＨｉ、ＱＬｉをともにオフにして、出力をハイインピーダンス状態とする。制御信号ｃ１が「Ｌ」、制御信号ｃ２がハイレベル（以下、「Ｈ」と略記）の場合には、対応するシフトレジスタＳＲの出力にしたがってスイッチング素子ＱＨｉ、ＱＬｉを制御する。本実施の形態においては、シフトレジスタＳＲの出力ｏｉが「Ｈ」であればスイッチング素子ＱＨｉをオン、スイッチング素子ＱＬｉをオフに、シフトレジスタＳＲの出力ｏｉが「Ｌ」であればスイッチング素子ＱＨｉをオフ、スイッチング素子ＱＬｉをオンにする。制御信号ｃ１が「Ｈ」、制御信号ｃ２が「Ｌ」の場合には、対応するシフトレジスタＳＲの出力にかかわらずスイッチング素子ＱＨｉをオフ、スイッチング素子ＱＬｉをオンにする。また、制御信号ｃ１、ｃ２がともに「Ｈ」の場合には、対応するシフトレジスタＳＲの出力にかかわらずスイッチング素子ＱＨｉをオン、スイッチング素子ＱＬｉをオフにする。
【００４４】
走査ＩＣ選択部５２は、２つのフリップフロップＦＦ１、ＦＦ２と、ＮＡＮＤゲートＧ１とを有する。フリップフロップＦＦ１は、データ入力端子とクロック入力端子と出力端子とをもつ通常のフリップフロップであり、クロック入力端子に入力される選択信号ｓｅｌの立下りタイミングでデータ入力端子に入力される選択走査信号ｓｉを取り込み、ＮＡＮＤゲートＧ１に出力する。ＮＡＮＤゲートＧ１は、フリップフロップＦＦ１の出力信号ｓｓと選択信号ｓｅｌとの論理和を反転した信号ｓｇをシフトレジスタＳＲのデータ入力端子に出力する。
【００４５】
フリップフロップＦＦ２は、フリップフロップＦＦ１と同じ構成のフリップフロップであり、データ入力端子には選択走査信号ｓｉが入力され、クロック入力端子にはクロックｃｋが入力される。そして選択走査信号ｓｉを１クロック分遅延した遅延信号ｓｏを出力する。
【００４６】
ＩＣ（２）〜ＩＣ（１２）についても同様の構成である。
【００４７】
図８は、本発明の実施の形態におけるプラズマディスプレイ装置３０の走査ＩＣ（１）〜ＩＣ（１２）の接続を示す図である。１２個の走査ＩＣ（ＩＣ（１）〜ＩＣ（１２））のそれぞれに、制御信号ｃ１、制御信号ｃ２、選択信号ｓｅｌ、クロックｃｋが共通に入力される。しかし選択走査信号ｓｉに関しては、１番目の走査ＩＣ、すなわちＩＣ（１）にのみ入力される。そしてＩＣ（１）で１クロック周期分遅延された遅延信号ｓｏ（１）が２番目の走査ＩＣ、すなわちＩＣ（２）の書込み選択走査信号ｓｉ（２）として入力される。以下同様に、ＩＣ（２）の遅延信号ｓｏ（２）をＩＣ（３）の選択走査信号ｓｉ（３）として入力し、・・・、ＩＣ（１１）の遅延信号ｓｏ（１１）をＩＣ（１２）の選択走査信号ｓｉ（１２）として、それぞれ入力する。このように選択走査信号ｓｉが１クロック周期分ずつ遅延しながらＩＣ（１）からＩＣ（１２）まで順次伝送されるように、１２個の走査ＩＣがカスケードに接続されている。
【００４８】
このように、制御信号ｃ１、制御信号ｃ２、選択信号ｓｅｌ、クロックｃｋに関しては並列に、選択走査信号ｓｉに関してはカスケードになるように走査ＩＣを接続することにより、１２個の走査ＩＣの中から１つをランダムに選択して走査パルスを発生させることができる。
【００４９】
図９は、本発明の実施の形態におけるプラズマディスプレイ装置３０の走査ＩＣの走査ＩＣ選択部５２の動作を説明するためのタイミングチャートであり、一例として、２番目の走査ＩＣ、すなわちＩＣ（２）を選択する場合のタイミングチャートを示している。
【００５０】
まず、制御信号発生回路３５から、１クロック周期のパルス幅をもつ選択走査信号ｓｉがＩＣ（１）のデータ入力信号ｓｉ（１）として入力される。するとＩＣ（１）内部のフリップフロップＦＦ２（１）により１クロック周期分遅延され、その信号がＩＣ（２）のデータ入力信号ｓｉ（２）として入力される。以下同様に、１クロック周期分ずつ遅延されて３番目以降の走査ＩＣ、すなわちＩＣ（３）〜ＩＣ（１２）のデータ入力信号ｓｉ（３）〜ｓｉ（１２）として入力される。
【００５１】
走査ＩＣの選択は、制御信号発生回路３５から出力される選択信号ｓｅｌの立下りタイミングにより決定する。すなわち選択したい走査ＩＣに選択走査信号が入力されたタイミングでパルス状の選択信号ｓｅｌを各走査ＩＣに入力する。すると選択信号ｓｅｌの立下りタイミングでＩＣ（１）〜ＩＣ（１２）のフリップフロップＦＦ１（１）〜ＦＦ１（１２）にそれぞれの走査ＩＣの選択走査信号ｓｉ（１）〜ｓｉ（１２）がラッチされる。図９においては、２番目の走査ＩＣに書込み開始信号ｓｉ（２）が入力されているタイミングで選択信号ｓｅｌが入力されるので、フリップフロップＦＦ１（２）の出力信号ｓｓ（２）のみが「Ｈ」レベル、それ以外の出力信号ｓｓ（１）、ｓｓ（３）〜ｓｓ（１２）は「Ｌ」レベルとなる。
【００５２】
そして、１２番目の走査ＩＣに選択走査信号ｓｉ（１２）が入力され、フリップフロップＦＦ２（１２）により１クロック周期分遅延された信号ｓｏ（１２）が出力された後に、クロックｃｋの立上りを１つ含むパルス状の選択信号ｓｅｌを各走査ＩＣに入力する。するとＩＣ（２）のＮＡＮＤゲートＧ１（２）の出力ｓｇ（２）は、クロックｃｋの立上りを１つ含む期間だけ「Ｌ」レベルとなる。そしてそれ以外の走査ＩＣのＮＡＮＤゲートＧ１（２）〜Ｇ１（１２）の出力ｓｇ（２）〜ｓｇ（１２）は「Ｈ」レベルのまま保持される。そして選択信号ｓｅｌの立下りタイミングでＩＣ（１）〜ＩＣ（１２）のフリップフロップＦＦ１（１）〜ＦＦ１（１２）の出力信号ｓｓ（１）〜ｓｓ（１２）はすべて「Ｌ」レベルとなる。
【００５３】
このようにして、２番目の走査ＩＣのシフトレジスタＳＲ（２）にのみクロックｃｋの立上りを１つ含む期間だけ「Ｌ」レベルとなる単一パルス信号ｓｇ（２）が入力される。そのため２番目の走査ＩＣからのみ走査パルスが出力され、走査電極ＳＣ６５〜ＳＣ１２８に印加される。
【００５４】
次にプラズマディスプレイ装置３０の構造について説明する。図１０は、本発明の実施の形態におけるプラズマディスプレイ装置３０の構造を示す分解斜視図である。プラズマディスプレイ装置３０は、パネル１０と、パネル１０を保持するシャーシ６１と、パネル１０で発生した熱をシャーシ６１に伝達するとともにパネル１０とシャーシ６１とを接着するための熱伝導シート６２と、電源回路、走査電極駆動回路３３、維持電極駆動回路３４、制御信号発生回路３５等、パネル１０を駆動するための回路ブロック６３と、これらを収納する前面枠６５およびバックカバー６６とを備えている。
【００５５】
各電極の駆動回路は回路基板上に実装されるが、通常使用できる回路基板の大きさは大きくても一辺が５０ｃｍ程度であるため、データ電極駆動回路３２、走査電極駆動回路３３、維持電極駆動回路３４を、それぞれ複数枚の回路基板を用いて実装している。本実施の形態においては走査電極駆動回路３３を１枚の第１回路基板７１と２枚の第２回路基板７２、７３に分割して実装している。また第２回路基板７２、７３には制御信号監視回路３６が実装されている。
【００５６】
図１１は、本発明の実施の形態におけるプラズマディスプレイ装置３０の第１回路基板７１と第２回路基板７２、７３とを示す模式図であり、第２回路基板７２と第２回路基板７３とには１２個の走査ＩＣが６個ずつ分割されて実装され、また制御信号監視回路３６が分割されて第２回路基板７２と第２回路基板７３とに実装されている様子を説明するための図である。
【００５７】
第１回路基板７１には走査電極駆動回路３３の初期化電圧発生部４１と維持パルス発生部４２とを実装し、第２回路基板７２には走査電極ＳＣ１〜ＳＣ３８４に対応する６個の走査ＩＣ（ＩＣ（１）〜ＩＣ（６））を含む走査パルス発生部４３を実装し、第２回路基板７３には走査電極ＳＣ３８５〜ＳＣ７６８に対応する６個の走査ＩＣ（ＩＣ（７）〜ＩＣ（１２））を含む走査パルス発生部４３を実装している。そして維持パルス発生部４２で発生した維持パルスは、第１回路基板７１の出力端子Ｐ１から第２回路基板７２の入力端子Ｐ２に伝達され、第２回路基板７２に実装されている走査パルス発生部４３を介して走査電極ＳＣ１〜ＳＣ３８４のそれぞれに印加される。同様に維持パルス発生部４２で発生した維持パルスは、第１回路基板７１の出力端子Ｐ１から第２回路基板７３の入力端子Ｐ３に伝達され、第２回路基板７３に実装されている走査パルス発生部４３を介して走査電極ＳＣ３８５〜ＳＣ７６８のそれぞれに印加される。
【００５８】
なお、第１回路基板７１の出力端子Ｐ１には金具を設け、第２回路基板７２、７３の入力端子Ｐ２、Ｐ３にも金具を設け、それらを重ね合わせてビスでビス締めすることで、電流経路インピーダンスを低下させ、維持放電に伴う大きな電流を流せるように設計している。
【００５９】
また、制御信号発生回路３５で発生した走査ＩＣを制御する制御信号は、第１回路基板７１、コネクタ７５を経由して第２回路基板７２に伝送される。そしてＩＣ（１）〜ＩＣ（６）に入力されるとともに、コネクタ７６を経由して第２回路基板７３に伝送され、ＩＣ（７）〜ＩＣ（１２）に入力される。なお、図面を見やすくするために、図１１には制御信号ｃ１、ｃ２および選択信号ｓｅｌのみを示し、それ以外の制御信号ｓｉ、ｃｋ等は省略した。また制御信号に挿入されているバッファ回路やレベルシフト回路等も省略した。
【００６０】
また、第２回路基板７２、７３には、制御信号監視回路３６が分割して実装されている。制御信号監視回路３６は、ＮＯＴゲートＧ７１、ダイオードＤ７１、抵抗Ｒ７１、Ｒ７２、コンデンサＣ７１、ＮＯＴゲートＧ８１、Ｇ８２、ダイオードＤ８１〜Ｄ８６、抵抗Ｒ８１、電流バッファＧ８３を有する。そしてダイオードＤ７１、抵抗Ｒ７１、Ｒ７２、コンデンサＣ７１は積分回路を構成する。
【００６１】
第２回路基板７２において、制御信号ｃ１はＮＯＴゲートＧ８１で反転されてダイオードＤ８１のアノードに入力され、制御信号ｃ２はダイオードＤ８２のアノードに入力され、選択信号ｓｅｌはダイオードＤ８３のアノードに入力される。また第２回路基板７３において、制御信号ｃ１はＮＯＴゲートＧ８２で反転されてダイオードＤ８４のアノードに入力され、制御信号ｃ２はダイオードＤ８５のアノードに入力され、選択信号ｓｅｌはダイオードＤ８６のアノードに入力される。ダイオードＤ８１〜Ｄ８６はワイヤードＯＲを構成し、その出力信号を電流バッファＧ８３で電流増幅することにより６つの入力端子をもつＯＲゲートとして動作する。したがって、第２回路基板７２において制御信号ｃ１が「Ｈ」、制御信号ｃ２が「Ｌ」、選択信号ｓｅｌが「Ｌ」であり、第２回路基板７３において制御信号ｃ１が「Ｈ」、制御信号ｃ２が「Ｌ」、選択信号ｓｅｌが「Ｌ」である場合にのみ電流バッファＧ８３の出力は「Ｌ」となり、それ以外では「Ｈ」となる。なお抵抗Ｒ８１はプルダウン抵抗である。
【００６２】
抵抗Ｒ７１、コンデンサＣ７１は積分回路を構成し、電流バッファＧ８３の出力が「Ｈ」であれば、抵抗Ｒ７１を介してコンデンサＣ７１が充電され、コンデンサＣ７１の電圧はゆっくり上昇する。またダイオードＤ７１、抵抗Ｒ７２、コンデンサＣ７１も積分回路を構成しているが、抵抗Ｒ７２の抵抗値は小さく設定されているため、電流バッファＧ８３の出力が「Ｌ」になると、抵抗Ｒ７２、ダイオードＤ７１を介してコンデンサＣ７１が速やかに放電される。
【００６３】
そして、積分回路の出力、すなわちコンデンサＣ７１の電圧は比較回路として働くＮＯＴゲートＧ７１に入力され、コンデンサＣ７１の電圧がＮＯＴゲートＧ７１のしきい値未満では監視信号ｓｏｓとして「Ｈ」を出力し、しきい値以上となるとＮＯＴゲートＧ７１は監視信号ｓｏｓとして「Ｌ」を出力する。
【００６４】
このように制御信号監視回路３６は積分回路を有し、制御信号ｃ１、ｃ２、選択信号ｓｅｌを論理演算した信号を積分することにより、制御信号ｃ１が「Ｈ」、制御信号ｃ２が「Ｌ」、選択信号ｓｅｌが「Ｌ」となるタイミングが周期的に繰り返されていることを監視して監視信号ｓｏｓを発生し、制御信号発生回路３５に伝送する。
【００６５】
維持期間では制御信号ｃ１が「Ｈ」、制御信号ｃ２が「Ｌ」、選択信号ｓｅｌが「Ｌ」となるため、第２回路基板７２と第２回路基板７３との両方の基板に上述した制御信号が正しく伝達されていれば、ダイオードＤ８１〜Ｄ８６のアノードに入力される信号はすべて「Ｌ」となるので、電流バッファＧ８３の出力は「Ｌ」となる。
【００６６】
上述したように、ダイオードＤ７１、抵抗Ｒ７１、Ｒ７２、コンデンサＣ７１は一種の積分回路として動作する。ここで、抵抗Ｒ７１の抵抗値は高く、抵抗Ｒ７２の抵抗値は低く設定されており、本実施の形態においては、例えば抵抗Ｒ７１が２０ｋΩ、抵抗Ｒ７２が１０Ωである。そのため電流バッファＧ８３の出力が「Ｈ」であれば高い抵抗値をもつ抵抗Ｒ７１を介してコンデンサＣ７１がゆっくり充電されることになる。また電流バッファＧ８３の出力が「Ｌ」になると低い抵抗値をもつ抵抗Ｒ７２およびダイオードＤ７１を介してコンデンサＣ７１が速やかに放電される。そして、コンデンサＣ７１の電圧がＮＯＴゲートＧ７１のしきい値未満であればＮＯＴゲートＧ７１は監視信号ｓｏｓとして「Ｈ」を出力し、コンデンサＣ７１の電圧がＮＯＴゲートＧ７１のしきい値以上となるとＮＯＴゲートＧ７１は監視信号ｓｏｓとして「Ｌ」を出力する。
【００６７】
図１２は、本発明の実施の形態におけるプラズマディスプレイ装置３０の制御信号監視回路３６の動作を説明するための図であり、第２回路基板７２、７３に制御信号が正しく伝達されている場合の電圧波形図である。本実施の形態においては、上述したように初期化期間の前半では制御信号ｃ１、ｃ２がともに「Ｈ」、選択信号ｓｅｌが「Ｌ」となり、書込み期間では、制御信号ｃ１が「Ｌ」、制御信号ｃ２が「Ｈ」、選択信号ｓｅｌは「Ｌ」または「Ｈ」となる。したがっていずれの期間でも、電流バッファＧ８３の出力が「Ｈ」となり、コンデンサＣ７１がゆっくり充電され、コンデンサＣ７１の電圧が上昇し始める。しかし維持期間においては制御信号ｃ１が「Ｈ」、制御信号ｃ２が「Ｌ」、選択信号ｓｅｌが「Ｌ」となるため、電流バッファＧ８３の出力が「Ｌ」となり、コンデンサＣ７１が速やかに放電されて電圧が低下する。
【００６８】
そして初期化期間、書込み期間、維持期間が周期的に繰り返されるため、コンデンサＣ７１の電圧が十分に上昇することはなく、したがってＮＯＴゲートＧ７１の出力である監視信号ｓｏｓは「Ｈ」のままとなる。
【００６９】
図１３は、本発明の実施の形態におけるプラズマディスプレイ装置３０の制御信号監視回路３６の動作を説明するための図であり、第２回路基板７２、７３に制御信号が正しく伝達されていない場合の電圧波形図の一例である。図１３にはごみによる端子間の短絡等により、選択信号ｓｅｌが「Ｈ」に固定された場合の例について示している。この場合には、走査ＩＣの選択が正しく行われず、また各走査ＩＣのシフトレジスタＳＲ（１）〜ＳＲ（１２）の入力端子にも単一パルス信号ｓｇ（１）〜ｓｇ（１２）が正しく入力されない。そのため正常な画像表示ができなくなるだけでなく、場合によっては走査ＩＣが発熱するおそれもあった。
【００７０】
しかしながら本実施の形態においては、選択信号ｓｅｌが「Ｈ」に固定されると電流バッファＧ８３の出力は常に「Ｈ」となり、コンデンサＣ７１の電圧が上昇する。そしてコンデンサＣ７１の電圧がＮＯＴゲートＧ７１のしきい値電圧を超えると、ＮＯＴゲートＧ７１は監視信号ｓｏｓを「Ｌ」とする。すると制御信号発生回路３５は、走査電極駆動回路３３および維持電極駆動回路３４の動作を停止させる制御信号を各電極駆動回路に供給する。そのためプラズマディスプレイ装置３０は画像表示動作を停止するために走査ＩＣの発熱等を未然に防止することができる。
【００７１】
もちろん選択信号ｓｅｌだけでなく、制御信号ｃ１や制御信号ｃ２が正しく伝達されていない場合についても、ＮＯＴゲートＧ７１は監視信号ｓｏｓを「Ｌ」とする。そのためプラズマディスプレイ装置３０を安全に停止することができる。
【００７２】
なお、本実施の形態においては、コンデンサＣ７１の電圧が上昇を始めてから監視信号ｓｏｓを「Ｌ」にするまでの時間を、例えば約１００ｍｓに設定しているが、具体的な各数値は、単に一例を挙げたに過ぎず、パネルの特性やプラズマディスプレイ装置の仕様等に合わせて、適宜最適な値に設定することが望ましい。また本実施の形態において用いた他の具体的な各数値についても同様に、パネルの特性やプラズマディスプレイ装置の仕様等に合わせて、適宜最適な値に設定することが望ましい。
【産業上の利用可能性】
【００７３】
本発明は、走査電極駆動回路を安定して動作させるとともに、制御信号の伝送異常が発生した状態で通電しても走査電極駆動回路の破損等を防ぐことができるので、プラズマディスプレイ装置として有用である。
【図面の簡単な説明】
【００７４】
【図１】本発明の実施の形態に用いるパネルの分解斜視図
【図２】同パネルの電極配列図
【図３】同パネルの各電極に印加する駆動電圧波形を示す図
【図４】本発明の実施の形態におけるプラズマディスプレイ装置の回路ブロック図
【図５】同プラズマディスプレイ装置の走査電極駆動回路の構成を示す回路図
【図６】同プラズマディスプレイ装置の走査ＩＣの詳細を示す回路ブロック図
【図７】同プラズマディスプレイ装置の走査ＩＣの出力制御部およびスイッチング素子の動作を示す図
【図８】同プラズマディスプレイ装置の走査ＩＣの接続を示す図
【図９】同プラズマディスプレイ装置の走査ＩＣの動作を説明するためのタイミングチャート
【図１０】同プラズマディスプレイ装置の構造を示す分解斜視図
【図１１】同プラズマディスプレイ装置の第１回路基板と第２回路基板とを示す模式図
【図１２】同プラズマディスプレイ装置の制御信号監視回路の動作を説明するための図
【図１３】同プラズマディスプレイ装置の制御信号監視回路の動作を説明するための図
【符号の説明】
【００７５】
１０    パネル
１２    走査電極
１３    維持電極
２２    データ電極
３０    プラズマディスプレイ装置
３１    画像信号処理回路
３２    データ電極駆動回路
３３    走査電極駆動回路
３４    維持電極駆動回路
３５    制御信号発生回路
３６    制御信号監視回路
４１    初期化電圧発生部
４２    維持パルス発生部
４３    走査パルス発生部
５１    スイッチング素子制御部
５２    走査ＩＣ選択部
６１    シャーシ
６３    回路ブロック
７１    第１回路基板
７２，７３    第２回路基板
７５，７６    コネクタ
【図１】
2010175668.tif 000003
【図２】
2010175668.tif 000004
【図３】
2010175668.tif 000005
【図４】
2010175668.tif 000006
【図５】
2010175668.tif 000007
【図６】
2010175668.tif 000008
【図７】
2010175668.tif 000009
【図８】
2010175668.tif 000010
【図９】
2010175668.tif 000011
【図１０】
2010175668.tif 000012
【図１１】
2010175668.tif 000013
【図１２】
2010175668.tif 000014
【図１３】
2010175668.tif 000015